(57)【特許請求の範囲】
【請求項１】
フイルムカートリッジ内に収納された現像済みの写真フイルムを画像読取部に給送してフイルム画像を読み取り、該フイルム画像をモニタＴＶに表示させるフイルム画像入力方法において、
前記フイルムカートリッジに対応する外部記憶媒体に該フイルムカートリッジ内のフイルムの全コマを示すインデックス画像データを記憶させ、
複数コマのインデックス画像再生時には、前記外部記憶媒体に記憶されたインデックス画像データを読み出し、その読み出したインデックス画像データに基づいてインデックス画像をモニタＴＶに表示させるようにしたことを特徴とするフイルム画像入力方法。
【請求項２】
前記外部記憶媒体に記憶させるインデックス画像データは、１コマ再生時の画像データを間引き及び／又は圧縮して作成されている請求項１のフイルム画像入力方法。
【請求項３】
前記外部記憶媒体には、少なくとも１コマ再生時に使用されるデータが記憶され、１コマ再生時には前記外部記憶媒体に記憶されたデータに基づいて画像処理を行うことを特徴とする請求項１のフイルム画像入力方法。
【請求項４】
前記外部記憶媒体は、前記フイルムカートリッジとは別体のメモリカード、フイルムカートリッジ内部に組み込まれたＩＣメモリ、及び前記フイルムカートリッジを収納するカートリッジケース内部に組み込まれたＩＣメモリのうちのいずれかである請求項１のフイルム画像入力方法。
【発明の詳細な説明】
【０００１】
【産業上の利用分野】
本発明はフイルム画像入力方法に係り、特にフイルムカートリッジ内に収納された現像済みの写真フイルムを画像読取部に給送してフイルム画像を読み取り、該フイルム画像をモニタＴＶに表示させるフイルム画像入力方法に関する。
【０００２】
【従来の技術】
従来、現像済みスチル写真フイルムをＣＣＤ等のイメージセンサで撮像し、写真フイルムの画像を画像信号に変換し、これをモニタＴＶに出力してフイルム画像を表示するフイルム画像入力装置は、ＷＯ９０／０４３０１、特開平５−７５９２２号公報等において公知である。
【０００３】
また、ラボ（現像所）からのフイルムの返却形態として、現像済みの１本分のフイルムをフイルムカートリッジに収納して返却することが提案されており、特開平５−７５９２２号公報に記載のフイルム画像入力装置では、フイルムカートリッジを使用している。
更に、カメラに装着されたＩＣカードに撮影情報やプリント注文情報等を記録することができるデータ記録カメラが提案されている（特開昭６２−２０８０２８号公報）。このデータ記録カメラによって所定の情報が記録されたＩＣカードは、これに対応するフイルムと一緒にＤＰ取次店を経由してラボに送られ、現像に必要な情報を伝達するようにしている。また、ラボでの処理の内容、プリント枚数などの情報をＩＣカードに記録することにより、ユーザーに情報を返却できるようにしている。
【０００４】
【発明が解決しようとする課題】
ところで、現像済みのフイルムがフイルムカートリッジに収納して返却されると、カートリッジ内部のフイルムに何が写し込まれているかを判別するためには、一々フイルムを何等かの装置で引き出して見る必要があり、焼き増し等のプリント注文を行う場合やモニタＴＶでフイルム画像を楽しむ場合に、目的とするフイルムカートリッジを探し出すのに手間がかかるという問題がある。
【０００５】
一方、従来のＩＣカードを使用してラボとユーザーとの間で交換される情報はラボ用の情報であり、この場合にも目的とするフイルムカートリッジを探し出すのに手間がかかる。
本発明はこのような事情に鑑みてなされたもので、目的とするフイルムカートリッジを容易に探し出すことができるとともに、所望のフイルム画像を短時間でモニタ表示することができるフイルム画像入力方法を提供することを目的とする。
【０００６】
【課題を解決するための手段】
本発明は前記目的を達成するために、フイルムカートリッジ内に収納された現像済みの写真フイルムを画像読取部に給送してフイルム画像を読み取り、該フイルム画像をモニタＴＶに表示させるフイルム画像入力方法において、前記フイルムカートリッジに対応する外部記憶媒体に該フイルムカートリッジ内のフイルムの全コマを示すインデックス画像データを記憶させ、複数コマのインデックス画像再生時には、前記外部記憶媒体に記憶されたインデックス画像データを読み出し、その読み出したインデックス画像データに基づいてインデックス画像をモニタＴＶに表示させるようにしたことを特徴としている。
【０００７】
また、前記外部記憶媒体には、少なくとも１コマ再生時に使用されるデータが記憶され、１コマ再生時には前記外部記憶媒体に記憶されたデータに基づいて画像処理を行うことを特徴としている。
【０００８】
【作用】
本発明によれば、フイルムカートリッジに対応する外部記憶媒体に該フイルムカートリッジ内のフイルムの全コマを示すインデックス画像データを記憶させておく。この外部記憶媒体へのインデックス画像データの記録は、ラボでもユーザー所有のフイルムプレーヤでもよい。そして、複数コマのインデックス画像再生時には、前記外部記憶媒体に記憶されたインデックス画像データを読み出し、その読み出したインデックス画像データに基づいてインデックス画像をモニタＴＶに表示させるようにしている。
【０００９】
これにより、焼き増し等のプリント注文を行う場合やモニタＴＶでフイルム画像を楽しむ場合に、フイルムカートリッジからフイルムを引き出さずに、目的とするフイルムカートリッジを容易に探し出すことができる。
また、外部記憶媒体に少なくとも１コマ再生時に使用するデータを記憶させるようにしたため、１コマ再生時にプリスキャンを省略することができ、所望のフイルム画像を短時間でモニタ表示することができる。
【００１０】
【実施例】
以下添付図面に従って本発明に係るフイルム画像入力方法の好ましい実施例を詳説する。
図１は本発明に係るフイルム画像入力方法が適用されるフイルムプレーヤを含むシステム全体の概略構成図である。同図に示すように、このフイルムプレーヤ１００は直方体状に形成され、その前面にはフイルムカートリッジ収納部１０２及びメモリカード収納部１０４が設けられている。フイルムカートリッジ収納部１０２では、フイルムカートリッジ１１０のローディング／アンローディング時にフイルムカートリッジ１１０の収納又は取出しが行われ、同様にメモリカード収納部１０４では、メモリカード１２０がフイルムカートリッジ１１０と同時に抜き差しされる。尚、メモリカード１２０の代わりにフイルムカートリッジ内部に組み込まれたＩＣメモリを使用する場合には、ＩＣメモリを内包するフイルムカートリッジのみを挿入すればよい。
【００１１】
フイルムプレーヤ１００にはキーパッド１０６及びモニタＴＶ１０８が接続され、キーパッド１０６からはフイルムプレーヤ１００を制御するための各種の操作信号がフイルムプレーヤ１００に出力され、フイルムプレーヤ１００からは映像信号がモニタＴＶ１０８に出力される。尚、キーパッド１０６によるフイルムプレーヤ１００の制御の詳細については後述する。また、キーパッド１０６から操作信号を送出するようにしているが、これに限らず、キーパッド１０６及びフイルムプレーヤ１００にそれぞれ赤外リモコン送信器及び受信器を設け、キーパッド１０６からの操作信号を赤外リモコン信号としてフイルムプレーヤ１００に送信するようにしてもよい。
【００１２】
フイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
【００１３】
このフイルムカートリッジ１１０を使用するカメラは、カメラ内蔵の磁気ヘッドによって前記フイルム１１４の磁気記録層１１４Ｂに各種の磁気データをコマ毎に記録することができる。記録される磁気データとしては、例えば、コマ番号、ハイビジョン画像、パノラマ画像及び通常画像のいずれかを示すプリントフォーマット、撮影日／時刻等が考えられるが、その他、カメラによって多数種類のデータを記録することができる。また、前記写真フイルム１１４には、被写体光によって露光されるコマ領域以外にフイルムタイプ、コマ番号等を示すバーコードや、撮影時にカメラ内蔵の光源によってプリントフォーマット等を示すデータを光学的に記録することもできる。
【００１４】
図３は上記フイルムプレーヤ１００の内部構成の一実施例を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００１５】
光源１３０は、例えばフイルム１１４の給送方向と直交する方向に長い蛍光灯からなり、赤外カットフィルタ１３２を介してフイルム１１４を照明する。フイルム１１４を透過した画像光は、撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００１６】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００１７】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施例では標準のフイルム画像を取り込む時の給送速度の１／２倍、１倍、８倍、１６倍の各速度における画素数は、１７９２画素、８９６画素、１１２画素、５６画素である。
【００１８】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００１９】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００２０】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１への書込み／読出しを制御するとともに、ＣＣＤバッファＭ１に記憶された輝度信号Ｙ及びクロマ信号Ｃｒ／ｂ  の表示バッファＭ２への書込み／読出しを制御する。尚、ＣＣＤバッファＭ１及び表示バッファＭ２への書込み／読出し制御の詳細については後述する。
【００２１】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２２】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００２３】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２４】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
【００２５】
さて、ＣＰＵ１６０には、前記キーパッド１０６の他に、ランダムアクセスメモリ（ＲＡＭ）１２１、リードオンリーメモリ（ＲＯＭ）１２２、電気的に消去可能なプログラマブル読出し専用メモリ（ＥＥＰＲＯＭ）１２３、及びカードインターフェース１２４が接続されている。
ＲＯＭ１２２には、予めフイルムプレーヤ制御プログラム及びメモリカード１２０の記憶内容をロードするロードプログラムが記憶されており、ＣＰＵ１６０はＲＯＭ１２２に記憶されたプログラムにより、ユーザーのキーパッド１０６での操作による処理及びフイルムプレーヤ１００の制御を行う。また、ＲＯＭ１２２内のプログラムによって、メモリカード１２０の記憶内容をカードインターフェース１２４を介してＥＥＰＲＯＭ１２３にロードするとともに、ＲＡＭ１２１又はＥＥＰＲＯＭ１２３に記録されている情報をカードインターフェース１２４を介してメモリカード１２０に書き込む。
【００２６】
次に、上記構成のフイルムプレーヤ１００の作用について、図４に示すフローチャートを参照しながら説明する。
先ず、フイルムカートリッジ１１０をフイルムカートリッジ収納部１０２に収納するとともに、そのフイルムカートリッジ１１０に対応するメモリカード１２０をメモリカード収納部１０４に差し込む（ステップ２００）。続いて、メモリカード１２０に後述するインデックス画像データ、ＡＥ，ＡＷＢデータ等が記憶されているか否かを判別する（ステップ２０２）
インデックス画像データ等が記憶されていない場合には、ＣＰＵ１６０はフイルム駆動メカ１７０を制御してフイルムローディングを実行する。即ち、フイルムカートリッジ１１０からフイルム１１４を送り出し、フイルム先端をフイルム巻取部の巻取軸に巻き付ける。その後、フイルム１１４の第１のプリスキャンを実行する。即ち、図５に示すようにフイルム１１４を１４８．０ｍｍ／秒の高速で順方向に給送し、続いて１４８．０ｍｍ／秒の高速で逆方向に巻き戻す。上記順方向の第１のプリスキャン時には、ＣＣＤラインセンサ１４２を介して画像データが取り込まれるとともに、光学データ読取装置１８０及び磁気記録再生装置１８２を介して光学データ及び磁気データが読み取られる。
【００２７】
次に、上記第１のプリスキャン時に取り込んだ画像データに基づく処理について説明する。
ＣＰＵ１６０は、図３に示すＡ／Ｄコンバータ１５０から点順次のＲ，Ｇ，Ｂ信号を入力する。ＣＰＵ１６０は、全コマのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをコマ毎にＲＡＭ１２１に記憶させる。また、各コマのＲ，Ｇ，Ｂ信号から各コマの明るさを示すＡＥデータをＲＡＭ１２１に記憶させる。尚、ＣＰＵ１６０は、光学データ読取装置１８０及び磁気記録再生装置１８２を介して加えられる光学データ及び／又は磁気データに基づいてフイルム１１４の各コマを検知することができ、また、各コマをカウントすることによりコマ番号も検知することができる。
【００２８】
次に、フイルム１１４の第２のプリスキャンを実行する。即ち、図５に示すようにフイルム１１４を７４・０ｍｍ／秒の高速で順方向に再び給送し、続いて１４８．０ｍｍ／秒の高速で逆方向に巻き戻す。上記順方向の第２のプリスキャン時には、再びＣＣＤラインセンサ１４２を介して画像データが取り込まれる。この画像データの取込み時には、ＣＰＵ１６０は、ＲＡＭ１２１に記憶したＡＥデータに基づいてＣＣＤラインセンサ１４２における電荷蓄積時間を制御することにより、各コマ毎に露光量を調整する。
【００２９】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１２１に記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１２１に記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００３０】
上記ＡＥデータ、ＡＷＢデータ等に基づいて各コマの画像データを調整しているため、各コマの撮影条件にかかわらず、良好な画像データを取り込むことができる。
このようにして調整された各コマの画像データ、即ち、第２信号処理回路１５２から出力される輝度信号Ｙ及びクロマ信号Ｃｒ／ｂ  は、メモリ制御回路１５４を介してＣＣＤバッファＭ１に順次記憶される。尚、前述したように標準のフイルム画像を取り込む時の給送速度の８倍の速度でフイルム１１４が給送されるため、図６（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、ＣＣＤバッファＭ１は、図６（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データ（以下、インデックス画像データという）が記憶されることになる。
【００３１】
表示バッファＭ２は、図６（Ｂ）に示すように５１２×１０２４画素のデータを記憶する記憶容量を有しているが、上記インデックス画像データを記憶する場合には、１コマの画素が７３×１２８に縮小されて５×４（＝２０）コマ分の画像データを記憶する。そして、インデックス画像をモニタＴＶ１０９に表示させる場合には、表示バッファＭ２の左上の４８０×６４０画素分の領域が読み出される（図６（Ｂ）、（Ｃ）参照）。
【００３２】
さて、ＣＣＤバッファＭ１には、図６（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００３３】
ＣＣＤバッファＭ１への上記記憶動作中にも、ＣＣＤバッファＭ１の記憶内容は表示バッファＭ２に転送され、その結果、左上から順次コマ画像が表示されることになる。
表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０８では１行分だけ上方向にスクロールしたインデックス画像が表示されることになる。このようにして全コマの画像データがＣＣＤバッファＭ１に記憶されると、モニタＴＶ１０８には再びコマ番号１〜２０までのインデックス画像が表示されるように下方向にスクロール又は画面が切り替えられる。
【００３４】
ところで、ＣＰＵ１６０は、上記スキャン時における各コマの画像データの読取り順に各コマに対してコマ番号を１、２、…とし、各コマのコマ番号を示すキャラクター信号を出力することにより、コマ番号がスーパーインポーズされたインデックス画像を表示させるようにしている（ステップ２０４）。
上記のようにしてインデックス画像の作成が行われ、インデックス画像がモニタＴＶ１０８に表示されると、続いてインデックス画像を見ながらキーパッド１０６を使用し、対話形式でモニタＴＶ１０８に１コマ表示するために必要な編集、その他の指定を行う（ステップ２０６）。
【００３５】
即ち、キーパッド１０６は、図１に示すように上下左右の各キー１０６Ａ〜１０６Ｄ、「ＵＰ」キー１０６Ｅ、「ＤＯＵＮ」キー１０６Ｆ、「Ｅｘｅｃｕｔｅ」キー１０６Ｇ、「Ｃａｎｃｅｌ  」キー１０６Ｈの８キーから構成されている。
さて、ＣＰＵ１６０は、図７に示すように２０コマ分のインデックス画像とともに各種の設定メニューを示す文字をモニタＴＶ１０８に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
【００３６】
上記メニューの選択は、キーパッド１０６の「ＵＰ」，「ＤＯＵＮ」キー１０６Ｅ、１０６Ｆを使用して実行したいメニューの位置にカーソル（他のメニューと色を変えて区別する）を移動させ、「Ｅｘｅｃｕｔｅ」キー１０６Ｇを押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１０６の上下左右のキー１０６Ａ〜１０６Ｄを操作することによって行うことができる。
【００３７】
いま、図７に示すように「ＲＯＴＳ」にカーソルを合わせて「Ｅｘｅｃｕｔｅ」キー１０６Ｇを押すと、縦横設定メニューになる。
縦横設定メニューが選択されると、編集対象のコマのコマ番号がブリンク表示されるとともに、そのコマの画像中に天地方向を示す矢印↑が表示される。この状態から「ＵＰ」キー１０６Ｅを押すと、ワンプッシュする毎に矢印の方向が９０度ずつ時計回り方向に回転し、「ＤＯＷＮ」キー１０６Ｆを押すと、ワンプッシュする毎に矢印の方向が９０度ずつ反時計回り方向に回転する。このようにして、矢印によって天地方向を選択したのち、「Ｅｘｅｃｕｔｅ」キー１０６Ｇを押すと、表示バッファＭ２の対象コマの記憶領域の画像データは、前記選択された天地方向に応じて回転させられる。尚、図６に示したように１コマの縦と横の画素数が異なるため、横から縦に回転させる場合には画像を縮小し、縦から横に回転させる場合には画像を拡大する。尚、「Ｃａｎｃｅｌ  」キー１０６Ｈによって設定内容をキャンセルすることもできる。
【００３８】
上記のようにしてインデックス画像を見ながら編集を行ったのち、「ＥＮＤ」にカーソルを合わせて「Ｅｘｅｃｕｔｅ」キー１０６Ｇを押すと、インデックス画像を用いた編集が終了する。
インデックス画像による編集が終了すると、インデックス画像データとともに、ＡＥ，ＡＷＢデータ、及び上記編集データ等をメモリカード１２０に記録する（ステップ２０８）。
【００３９】
次に、各コマ毎の表示、編集等を行う場合について説明する。
この場合には、先ず表示コマ番号を１にセットし、続いて図５に示すようにフイルム１１４を９．２５ｍｍ／秒で順方向に１コマ分給送して、コマ番号１のコマのスキャン（本スキャン）を行う。この本スキャン時にＣＣＤラインセンサ１４２を介して画像データがＣＣＤバッファＭ１に取り込まれる。
【００４０】
この画像データの取込み時には、ＣＰＵ１６０は、ＲＡＭ１２１に記憶したＡＥデータ、ＡＷＢデータ等に基づいて各コマの画像データを調整しているため、各コマの撮影条件にかかわらず、良好な画像データを取り込むことができる。また、このようにしてＣＣＤバッファＭ１に取り込まれる１コマ分の画素数は、図６（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００４１】
上記のようにしてＣＣＤバッファＭ１に取り込まれた１コマ分の画像データは、表示バッファＭ２に転送され、この表示バッファＭ２の記憶内容が繰り返し読み出されことによりモニタＴＶ１０８に１コマの画像が表示される（ステップ２１０）。
尚、１コマ再生メニュー設定モード時には、図８に示すようにコマ番号がモニタＴＶ１０８の画面左上に表示され、１コマの編集に必要な設定メニュー等を示す文字がモニタＴＶ１０８の画面右側に表示される。尚、「ＦＷＤ」は次のコマ再生を示し、「ＲＥＶ」は前のコマ再生を示し、「ＲＳＴ」は各種設定をリセットし、再スキャンを行うこと示し、「ＺＯＯＭ」はズーム設定を示し、「ＭＡＳＫ」はマスク設定を示し、「ＲＯＴ」はコマの縦横の設定を示し、「ＳＥＴ」はプリント枚数等の設定を示し、「ＩＤＸ」は前述したインデックス画像の表示を示し、「ＥＮＶ」はインターバル時間や背景色等の環境設定を示し、「ＥＮＤ」は１コマの画像を用いた編集の終了を示す。
【００４２】
上記メニューの選択は、前述したインデックス画像を用いた編集時と同様にキーパッド１０６の「ＵＰ」，「ＤＯＵＮ」キー１０６Ｅ、１０６Ｆを使用して実行したいメニューの位置にカーソルを移動させ、「Ｅｘｅｃｕｔｅ」キー１０６Ｇを押すことによって行われる。
いま、「ＺＯＯＭ」にカーソルを合わせて「Ｅｘｅｃｕｔｅ」キー１２７を押すと、ズーム設定メニューとなる。このズーム設定メニューにおいて、キーパッド１０６の上下左右のキー１０６Ａ〜１０６Ｄを操作することによりポインタを適宜移動させ、ズーム中心を指示する。そして、「ＵＰ」キー１０６Ｅ又は「ＤＯＷＮ」キー１０６Ｆを押すことにより、電子ズームによるズームアップ又はズームアウトを行う。このようにして所望のズーミングを行ったのち、「Ｅｘｅｃｕｔｅ」キー１０６Ｇを押すと、ズーム設定が確定し、ＣＰＵ１６０のＲＡＭ１２１に記憶される。
【００４３】
また、上記電子ズームでは、例えば０．５〜１．５倍の範囲のズーミングができるものとする。そして、電子ズームによる倍率が１．５となり、更に「ＵＰ」キー１０６Ｅによるズームアップが指示されると、低速の本スキャンを行う。この場合、フイルム１１４を４．６３ｍｍ／秒（通常の本スキャンの速度の１／２）で順方向に給送するとともに、ＣＣＤラインセンサ１４２のＣＣＤ出力を間引かずに、前記指定されたズーム中心を基準にして取り込む。これにより、通常の本スキャン時に比べて２倍にズーミングされた画像データが取り込まれるとになる。この画像データに対して、電子ズームをかけることにより、最大３倍までズーミングすることができるようになる。
【００４４】
上記のようにして表示コマの編集を行ったのち、「ＥＮＤ」にカーソルを合わせて「Ｅｘｅｃｕｔｅ」キー１０６Ｇを押すと、表示コマの編集が終了し（ステップ２１２）、一方、「ＦＷＤ」又は「ＲＥＶ」にカーソルを合わせて「Ｅｘｅｃｕｔｅ」キー１０６Ｇを押すと、コマ番号を１だけ増加又は減少し（ステップ２１６）、ステップ２１０に戻る。これにより上記と同様にして別の表示コマの編集を実行することができる。
【００４５】
さて、表示コマの編集が終了すると（ステップ２１４）、図５に示すようにフイルム１１４を１４８．０ｍｍ／秒の高速で順方向に給送し、この給送中に予めフイルム１１４の磁気記録層１１４Ｂから読み取られてＣＰＵ１６０のＲＡＭ１２１に記憶されたデータがメモリカード１２０やフイルム１１４の磁気記録層１１４Ｂに再び記録され、続いて１４８．０ｍｍ／秒の高速で逆方向に巻き戻され、フイルムカートリッジ１１０及びメモリカード１２０が取り出される（ステップ２１８）。
【００４６】
一方、ステップ２０２において、メモリカード１２０にインデックス画像データ、ＡＥ，ＡＷＢデータ等が記憶されている場合には、メモリカード１２０からインデックス画像データを読み出し、これを表示バッファＭ２にロードしてインデックス画像をモニタＴＶ１０８に表示させる（ステップ２２０、２２２）。
ユーザーは、このインデックス画像を見ることにより、メモリカードとともにセットされたフイルムカートリッジが目的のフイルム画像が写し込まれたフイルムカートリッジか否かを判別することができる（ステップ２２４）。目的のフイルムカートリッジでない場合には、ステップ２１８に進み、フイルムカートリッジ及びメモリカードをイジェクトする。
【００４７】
一方、目的のフイルムカートリッジの場合には、メモリカード１２０からＡＥ，ＡＷＢデータ等を読み出し、これをＲＡＭ１２１に格納する（ステップ２２６）。そして、ステップ２１０に進み、前述したように本スキャンを実行して１コマ表示を行い、各コマに対する編集、注文入力等を行う。
このようにインデックス画像データ等を記憶させたメモリカード１２０を使用することにより、プリスキャンを行わずに目的のフイルムカートリッジを探すことができ、また１コマ再生を短時間で行うことができる。
【００４８】
尚、メモリカード１２０にフイルムカートリッジ１１０の識別情報（例えば、フイルムカートリッジに付されているＩＤナンバー等）を記録し、再生に先立ち前記両者の識別情報が一致するか否かを判別し、識別情報が一致するときのみ再生処理を実行するようにすれば、誤組み合わせを防止することができる。また、メモリカードとフイルムカートリッジとは必ずしも一対一に対応するものでなくてもよく、１つのメモリカードに複数のフイルムカートリッジのインデックス画像データ等を記憶させるようにしてもよい。但し、この場合には、インデックス画像の表示とともに、そのインデックス画像に対応するフイルムカートリッジの識別情報を表示する必要がある。
【００４９】
また、メモリカード１２０に記録すべき情報としては、上記インデックス画像データ、ＡＥ，ＡＷＢデータの他に、撮影日時、フイルムフォーマット、ズーム・トリミング情報、ＣＣＤ取込光学系の校正情報・感度バラツキ情報等が考えられる。
次に、上記校正情報の内容及びその校正情報を用いたＣＣＤ取込光学系の校正方法について説明する。
【００５０】
図９のフローチャートに示すように、電源をＯＮにし、光源をウォームアップする（ステップ３００、３０２）。続いて、赤外カットフィルタ１３２の代わりにＣＣＤラインセンサ１４２を飽和させないための一定透過率（例えば、２０％）のＮＤフィルタを光路に挿入する（ステップ３０４）。その後、ＣＣＤラインセンサ１４２の１ライン分のＡ／Ｄ出力を校正情報ＡとしてＲＡＭ１２１に記録する（ステップ３０６）。
【００５１】
次に、再びＮＤフィルタの代わりに赤外カットフィルタ１３２を光路に挿入し、フイルムローディングして１コマ再生を可能にする（ステップ３０８）。また、メモリカード１２０から予め上記と同様にして取り込み記憶した校正情報Ｂを読み込む（ステップ３１０）。そして、メモリカード１２０に校正情報Ｂが記憶されているか否かを判別し（ステップ３１２）、校正情報Ｂが無い場合には、今回検出した校正情報Ａを校正情報Ｂとし（ステップ３１４）、校正情報Ｂがある場合には、その校正情報Ｂを使用してステップ３１６に進む。
【００５２】
ステップ３１６では、校正情報ＡとＢの比（Ａ／Ｂ＝Ｃ）を算出する。そして、ＡＥ，ＡＷＢデータをＣ倍したデータを使用して各コマをスキャンする（ステップ３１８）。これにより、光源を含むＣＣＤ取込光学系に経時変化があっても、予め測定した校正情報Ｂ及びＡＥ，ＡＷＢデータに基づいて良好なフイルム画像を再生することができる。尚、ＮＤフィルタを挿入する代わりに、フイルムのネガベース部分を撮影したときの１ライン分のＡ／Ｄ出力を校正情報としてもよい。
【００５３】
本実施例では、フイルムプレーヤによって作成したインデックス画像データ等をメモリカードに記録するようにしたが、ラボによってインデックス画像データ等を記録するようにしてもよい。また、インデックス画像データは、ディスクリート・コサイン・トランスファー（ＤＣＴ）等の圧縮画像データでもよい。この場合には、フイルムプレーヤ側に少なくとも圧縮画像データを伸長させる手段を設ける必要がある。
【００５４】
更に、本実施例では、外部記憶媒体としてはメモリカードを使用するようにしたが、これに限らず、フイルムカートリッジ内部に組み込まれたＩＣメモリや、図１０に示すようにフイルムカートリッジ１１０を収納するカートリッジケース１１６内部に組み込まれたＩＣメモリ１１８を使用することができる。尚、１０１は、このカートリッジケース１１６を使用するフイルムプレーヤである。
【００５５】
【発明の効果】
以上説明したように本発明に係るフイルム画像入力方法によれば、フイルムカートリッジに対応する外部記憶媒体に該フイルムカートリッジ内のフイルムの全コマを示すインデックス画像データを記憶させ、インデックス画像を再生できるようにしたため、焼き増し等のプリント注文時等において、フイルムカートリッジからフイルムを引き出さずに、目的とするフイルムカートリッジを容易に探し出すことができる。また、モニタＴＶでフイルム画像を楽しむ場合に、プリスキャンを省略することができ、より短時間で良好なフイルム画像を再生することができる。
【図面の簡単な説明】
【図１】図１は本発明に係るフイルム画像入力方法が適用されるフイルムプレーヤを含むシステム全体の概略構成図である。
【図２】図２は図１に示したフイルムプレーヤに適用されるフイルムカートリッジの一例を示す図である。
【図３】図３は図１に示したフイルムプレーヤの内部構成の一実施例を示すブロック図である。
【図４】図４は図１に示したフイルムプレーヤの作用を説明するために用いたフローチャートである。
【図５】図５は図１に示したフイルム画像入力装置において搬送されるフイルムの搬送シーケンスの一例を示す図である。
【図６】図６（Ａ）乃至（Ｄ）は図１に示したフイルムプレーヤにおけるＣＣＤバッファ、表示バッファにおける記憶領域及びモニタＴＶの表示画面を示す図である。
【図７】図７はインデックス画像を用いたコマの縦横設定を説明するために用いた図である。
【図８】図８は１コマ再生メニュー設定モード時のモニタ画面の一例を示す図である。
【図９】図９は校正情報及びその校正方法を説明するするために用いた図である。
【図１０】図１０は図１に示したフイルムプレーヤの他の実施例を示す概略構成図である。
【符号の説明】
１００、１０１…フイルムプレーヤ
１０２…フイルムカートリッジ収納部
１０４…メモリカード収納部
１０６…キーパッド
１０８…モニタＴＶ
１１０…フイルムカートリッジ
１１４…写真フイルム
１１４Ａ…パーフォレーション
１１４Ｂ…磁気記録層
１２０…メモリカード
１２１…ＲＡＭ
１３０…光源
１３５…撮影レンズ
１４２…ＣＣＤラインセンサ
１５１…第１信号処理回路
１５２…第２信号処理回路
１５３…第３信号処理回路
１５４…メモリ制御回路
１６０…中央処理装置（ＣＰＵ）
１７０…フイルム駆動メカ
Ｍ１…ＣＣＤバッファ
Ｍ２…表示バッファ
【図１】
0003551268.tif 000002
【図２】
0003551268.tif 000003
【図３】
0003551268.tif 000004
【図４】
0003551268.tif 000005
【図５】
0003551268.tif 000006
【図６】
0003551268.tif 000007
【図７】
0003551268.tif 000008
【図８】
0003551268.tif 000009
【図９】
0003551268.tif 000010
【図１０】
0003551268.tif 000011